(57)【要約】      （修正有）【課題】雪下ろしの重労働からの解放、及び冬季間の困難生活による一時移転の間の居宅の保全対策を図る雪下ろしセットを提供する。【解決手段】雪下ろし用ローリングシート８と、ローリングパイプ５と、ローリングパイプ架台２と、架台支持脚１とで構成され、雪下ろし用ローリングシート下面に複数のローリングパイプを敷き並べ、このローリングパイプを支えているローリングパイプ架台は、架台支持脚をボルトにて取り付け屋根に載置され、雪下ろし用ローリングシートにはファスナー９が設置され、ローリングパイプは両端に回転軸を設け、ローリングパイプ架台は継ぎ手４を設けボルト接合で継ぎ足され、架台支持脚は屋根に固定せず架台に取り付けられ、雪下ろし用ローリングシートは網目の細かいネットとし、周囲を柔軟性のあるシートとし、ローリンングパイプの軒先及び棟部は太いパイプ６、７を有する。【選択図】図１
0003226725.tif 000002
【実用新案登録請求の範囲】
【請求項１】
ローリングシート：
強風に飛ばされないよう網目の細かいネット仕様とし周囲４辺を合成ゴム等の仕様とし、ファスナーを付け中央で２分割出来るようにする。
【請求項２】
ローリングパイプ：
長さは原則１メートル程度、回転軸を穴に差し込むのでなく軸用の溝に落とし込む形とする。軒先及び棟部は太くし、シートの曲がりをスムーズにする。
【請求項３】
ローリングパイプ架台：
長さを２メートル程度とし、継ぎ手を設けボルト接合とする。又両側面の立ち上がり高さをローリングパイプの天端より２センチ程度高くし、シートがずれないようにする。
【請求項４】
架台支持脚：
架台と切り離し、設置間隔１メートル程度で架台にボルト止めにする。又合成ゴム等柔軟な素材で構成、屋根材の形状にフィット出来る稼動型フリーベースとする。
【請求項５】
手動・電動対策：
ローリングパイプ架台の軒先先端部に、パイプを回転させる歯車を２メートル、又は４メートル間隔に設置。チェーンを経由して付属のハンドル又はモーターで除雪する。
【考案の詳細な説明】
【考案の詳細な説明】
【０００１】
【技術分野】
【０００２】屋根の上に雪下ろし用シートを敷き並べ、そのシートの下にコロとなる回転パイプを並べる事で、降り積もった雪がその重みでシートと共に水下へ移動、地上に落下する様にしたものである。
【背景技術】
【０００３】従来より豪雪地帯、多雪地帯では屋根に降り積もった雪を除去するため、何度も雪降ろしをしなければならなかった。  除雪用カートやスコップを持って屋根に上がり、１メートル・２メートルの積雪のなか此れをして来た。高齢になるにつれ、転落事故や体調不良による死亡も増え危険な作業である。
【考案が解決しようとする課題】
【０００４】・屋根の除雪作業の労苦、重労働に伴う転落事故からの解放。
・高齢者にとっての度重なる重労働、体調の悪化による入退院からの解放。
・高齢者における、冬季間の困難生活による一時移転―この間の居宅の保全対策。
これらの大きな要因である雪下ろし作業―此れよりの開放。
【課題を解決するための手段】
【０００５】この考案は、屋根全体を除雪シートで覆う形を理想とし此れに近ずける様工夫したものである。
・第一に、人手によらず自然に除雪が出来ること（自重で除雪）。
・第二に、屋根に上がることが出来る人であれば誰でも手軽に設置できること。
・第三に、屋根の上にローリングシートを敷き並べ、その上に雪が積もる形とし３０センチ程度の積雪で、自重によりローラーが回転、シートもろとも下方へ移動落下する形とする。
＊雪下ろしセット
・屋根の上で組立、解体が出来るようバラバラの部品から成る製品とする―持ち運びも軽く容易である、又来期までの収納もコンパクトに出来る。
＊構成部材
・ローリングシート：
強風に飛ばされないよう網目の細かいネット仕様とし周囲４辺を合成ゴム等の仕様とし、ファスナーを付け中央で２分割出来るようにする。
・ローリングパイプ：
長さは原則１メートル程度、回転軸を穴に差し込むのでなく軸用の溝に落とし込む形とする。軒先及び棟部は太くし、シートの曲がりをスムーズにする。
・ローリングパイプ架台：
長さを２メートル程度とし、継ぎ手を設けボルト接合とする。又両側面の立ち上がり高さを、ローリングパイプの天端より２センチ程度高くし、シートがずれないようにする。加えてローリングパイプの回転軸を落とし込んでセットする縦溝形式とする。
・架台支持脚：
架台と切り離し、設置間隔１メートル程度で架台にボルト止め、又合成ゴム等柔軟な素材で構成、屋根材の形状にフィット出来る稼動型フリーベースとする。
＊手動・電動対策
屋根の形状が勾配不足で自重で除雪出来ない時、又は凍結によりローラーが動かない時。
・パイプ架台の軒先先端部に、ローリングパイプを回転させる歯車を２メートル、又は４メートル間隔に設置。チェーンを経由して付属のハンドル又はモーターで除雪する。
・出隅、入り隅：先端にヒモをつけたシートを置き敷き引き降す。
【考案の効果】
【０００６】・雪の多い地、山間僻地の極寒の中での家の倒壊という恐怖と戦いながらの雪下ろしの危険な作業からの解放。
・雪のシーズン到来前の穏やかな頃合いに、除雪セットを設置すれば安全であり、又シーズン後の撤去も容易である。
・シーズン中空き家となった居宅も除雪セットにより倒壊の危機から解放される。
【図面の簡単な説明】
【０００７】
【図１】  除雪セットの設置要領
【図２】  Ａ断面図（架台設置）  ＊図１の断面位置Ａを指す。
【図３】  Ｂ断面図（パイプ設置）  ＊図１の断面位置Ｂを指す。
【図４】  Ｃ断面図（シート設置）  ＊図１の断面位置Ｃを指す。
【図５】  ・架台支持脚  ・Ｃ断面図（歯車設置部）
【図６】  歯車取り合部（Ｄ部）
【図７】  Ｄ部  詳細
【符号の説明】
【０００８】１    架台支持脚
２    架台
３    緊結ロープ
４    継ぎ手
５    ローリングパイプ
６    軒先太パイプ
７    棟部太パイプ
８    ローリングシート
９    ファスナー
１０  回転方向
１１  歯車
１２  ネット部
１３  曲げプレート・ボルト締め
【図１】
0003226725.tif 000003
【図２】
0003226725.tif 000004
【図３】
0003226725.tif 000005
【図４】
0003226725.tif 000006
【図５】
0003226725.tif 000007
【図６】
0003226725.tif 000008
【図７】
0003226725.tif 000009
【手続補正書】
【提出日】令和1年6月5日(2019.6.5)
【手続補正１】
【補正対象書類名】実用新案登録請求の範囲
【補正対象項目名】全文
【補正方法】変更
【補正の内容】
【実用新案登録請求の範囲】
【請求項１】
＊  雪下ろしセット（雪下ろし用ローリングシート）
屋根の上で組立、解体が出来るようバラバラのパーツに分解出来る特徴を備えた製品であり、構成部材として
・ローリングシート
・ローリングパイプ
・パイプを受ける架台
・架台を支持する支持脚
付属品として、チェーン巻き取り用ハンドル又は電動モーターから成る製品です。
＊  ローリングシート（図−１の８，９，１２）（図−４の８）
強風に飛ばされないよう網目の細かいネット仕様とし周囲４辺を合成ゴム等の仕様とし、ファスナーを付け中央で２分割出来る特徴を備えたセット部材
＊  ローリングパイプ（図−１，３，６，７の５，６，７）
長さは原則１メートル程度、回転軸を穴に差し込むのでなく軸用の溝に落とし込む形とする。軒先及び棟部は太くし、シートの曲がりをスムーズにする特徴を備えたセット部材
＊  ローリングパイプ架台（図−１〜７の２）
長さを２メートル程度とし、継ぎ手を設けボルト接合とする。又両側面の立ち上がり高さをローリングパイプの天端より２センチ程度高くし、シートがずれないようにする特徴を備えたセット部材であります。
＊  架台支持脚（図−１〜５の１）
架台と切り離し、設置間隔１メートル程度で架台にボルト止めにする。又合成ゴム等柔軟な素材で構成、屋根材の形状にフィット出来る稼動型フリーベースとする特徴を、備えたセット部材であります。
＊  手動・電動対策（図３〜７）
ローリングパイプ架台の軒先先端部に、パイプを回転させる歯車を２メートル、又は４メートル間隔に設置。チェーンを経由して付属のハンドル又はモーターで除雪する特徴を、備えたセット部材からなる除雪セットであります。
【手続補正書】
【提出日】令和1年8月16日(2019.8.16)
【手続補正１】
【補正対象書類名】実用新案登録請求の範囲
【補正対象項目名】全文
【補正方法】変更
【補正の内容】
【実用新案登録請求の範囲】
【請求項１】
この雪下ろしセットは屋根の上で組立、解体が簡単に出来るよう各パーツをバラバラに分解出来る特徴を備えた製品であります、屋根に敷設したローリングシートは強風に飛ばされないようネット仕様とし、周囲４辺を合成ゴム等の仕様とし、ロール状にしたり切り離しシート状にするため端部にファスナーを付けた特徴を備えたローリングシートと、又雪の重みで回転移動するようシート下側に、コロ代わりのローリングパイプを多数設置、長さも扱い易いものとし両端に回転軸を取り付け、又屋根の軒先及び棟部はローリングシートの回転方向が逆となる為、シートの曲がりをスムーズにするためローリングパイプの径を太くする特徴を備えたローリングパイプと、又これらのパイプの架台としてローリングパイプ架台を設置、長さを扱い易い長さとしボルト接合にて継ぎ足してゆく、ローリングパイプの回転軸用の穴を開けるのではなく軸用の溝を造り上から落とし込む形とする、この場合溝の深さはパイプ天端よりは深くし、ローリングシートが横ずれしないようにした特徴を備えたローリングパイプ架台と、又この架台を支持するための架台支持脚を設置、設置間隔も扱い易い間隔とし架台にボルト固定する、又合成ゴム等柔軟な素材で構成屋根材の形状にフィット出来る稼動型フリーベースとする特徴を備えた架台支持脚と、又手動・電動対策として屋根勾配が不足の時、又は凍結によりローリングパイプが動かない時、パイプ架台の軒先先端にローリングパイプを回転させる歯車を設置、チェーンを経由しハンドル又は電動モーターで除雪する特徴を備えた雪下ろしセットであります、又各部材の組立解体を簡単にするための対策として、ローリングシートにはファスナーを取り付け切り離し折りたたみを容易にする、そしてローリングパイプは扱い易い長さとし、又ローリングパイプ架台も扱い易い長さとしボルト接合で継ぎ足してゆく、端部立ち上がり部はローリングパイプの回転軸を落とし込む溝を作り、パイプが簡単に外せる工夫を施し、又架台支持脚もバラバラの単品を並べる形式を採用、これらの対策を講じた製品であります。
【手続補正書】
【提出日】令和1年10月25日(2019.10.25)
【手続補正１】
【補正対象書類名】実用新案登録請求の範囲
【補正対象項目名】全文
【補正方法】変更
【補正の内容】
【実用新案登録請求の範囲】
【請求項１】
雪下ろしセット（雪下ろし用ローリングシートを含むセット略称）この雪下ろしセットは屋根全体を覆う大きな構造物となるため作業中の転落事故を防ぐ対策として、セットを構成しているそれぞれの機構をばら々のパーツに分け屋根での組立・解体・撤去作業が容易に出来るようにするため、パーツの寸法を一般成人が扱い易い長さなり巾とする事を第一義とし、まず最初の機構として降雪を受けるローリングシートにおいては、水下長手方向を横断する形でファスナーを取り付けシート状にしたりロール状に出来るよう切り離せるようにし、又強風に飛ばされないよう網目の細かいネット仕様とし周囲４辺を合成ゴム等柔軟性のあるシート仕様とし、又積雪の重みで回転移動するようシート下側にコロ代わりのローリングパイプを多数設置する、次にこのローリングパイプに関しては扱い易い長さとし、両端に回転軸を設けパイプ架台の軸穴に差し込む形を避け、パイプ架台に軸穴までの落とし込み用の縦溝を作り回転軸を上下に動かし簡単に着脱できる縦溝形式を採用し、又棟部及び軒先部ではローリングシートの移動方向が反転するコーナーに当たるため、回転がスムーズになるようシートの曲率半径を大きくするために出来るだけ太いパイプを採用する、そしてローリングパイプ架台に関しても扱い易い長さとし継ぎ手を設けボルト接合で所定の長さまで継ぎ足してゆく、そしてローリングパイプの回転軸用の縦溝形式の採用とと共に、此れに対応する両側面の立ち上がり高さをローリングパイプの天端より高くしローリングシートがずれないようにする、又架台支持脚に関しては屋根に固定せず屋根の形状にフィット出来るよう合成ゴム等柔軟な素材で構成した稼動型フリーベース支持脚を開発し架台にボルト固定とする、また手動・電動対策として屋根勾配が不足の時、又は凍結によりローリングパイプが動かない時、ローリングパイプ架台の軒先先端にローリングパイプを回転させる歯車を取り付け、チェーンを経由し設置せるハンドル又は電動モーターの回転力を歯車に伝えパイプを水下方向に回しシート上の雪を除雪する対策とするものであります。
【手続補正書】
【提出日】令和2年1月24日(2020.1.24)
【手続補正１】
【補正対象書類名】実用新案登録請求の範囲
【補正対象項目名】全文
【補正方法】変更
【補正の内容】
【実用新案登録請求の範囲】
【請求項１】
雪下ろしセットであって、雪下ろし用ローリングシートと、ローリングパイプと、ローリングパイプ架台と、架台支持脚とで構成されるセットであり、雪下ろし用ローリングシート下面に複数のローリングパイプを敷き並べ、このローリングパイプを支えているローリングパイプ架台は、架台支持脚をボルトにて取り付け屋根に載置され、雪下ろし用ローリングシートにはファスナーが設置され、ローリングパイプは両端に回転軸を設け、ローリングパイプ架台は継ぎ手を設けボルト接合で継ぎ足され、架台支持脚に関しては屋根に固定せず架台に取り付けられ、そして雪下ろし用ローリングシートは網目の細かいネットとし、周囲を柔軟性のあるシートとし、ローリンングパイプの軒先及び棟部は太いパイプを有し、ローリンングパイプ架台はローリンングパイプの軸穴までの落とし込み用の縦溝を有し、溝の天端がローリングパイプ天端より高いことを有する、架台支持脚は柔軟な素材で構成された稼動型フリーベース支持脚であり、ローリングパイプが動かない時には、ローリンングパイプ架台の軒先先端に歯車が取り付けられ、チェーンを経由し設置せるハンドル又は電動モーターの回転力を歯車に伝え、ローリングパイプを水下方向に回転させシート上の雪を除雪する特徴を有する雪下ろしセット。